(57)【要約】【課題】収納・保管庫の開閉扉の錠前の暗証番号を他人に覗き見され難くし、その設置場所の照度が充分でない場合にも、使用者が暗証番号を入力し易くし、しかも暗証番号を入力しているときに、背後に他人が覗き見を目的に容易に近づき難くした覗き見防止カバーを提供する。【解決手段】収納・保管庫Ｒの垂直方向に設置された開閉扉１１に取り付けられ、カバー本体１が上面板２と前面板３及び両側面板４とから構成され、底面を開放空間Ｓａとし、後面を開放空間Ｓｂとし、上面板２は前下りの傾斜角度αを有し、中央部に四角形状とした番号入力確認孔２ａが形成され、前面板３は前下りの傾斜角度βを有し、両側面板４は下辺４ａが前上りの傾斜角度γを有し、開放空間Ｓａは使用者が錠前Ｌの暗証番号を入力しようとするときの指差し孔とし、カバー本体１は開放空間Ｓｂが錠前Ｌの番号キーＫを取り囲むようにして、開閉扉１１に取り付けられている。【選択図】図１
2020056212.tif 000002
【特許請求の範囲】
【請求項１】
収納・保管庫（Ｒ）の垂直方向に設置された開閉扉（１１）に取り付けられるものであって、カバー本体（１）が、上面板（２）と、前面板（３）及び両側面板（４）とから構成され、底面を開放空間（Ｓａ）とし、後面を開放空間（Ｓｂ）としており、前記上面板（２）は、前下りの傾斜角度（α）を有したものとし、中央部に四角形状とした番号入力確認孔（２ａ）が形成されており、前記前面板（３）は、前下りの傾斜角度（β）を有したものとし、前記両側面板（４）は、それぞれの下辺（４ａ）が前上りの傾斜角度（γ）を有したものとし、前記底面の開放空間（Ｓａ）は、使用者が錠前（Ｌ）の暗証番号を入力しようとするときの指差し孔としており、前記カバー本体（１）は、前記後面の開放空間（Ｓｂ）が、前記開閉扉（１１）に取り付けられた錠前（Ｌ）の番号キー（Ｋ）を取り囲むようにして、この開閉扉（１１）に取り付けられたものとしていることを特徴とする覗き見防止カバー。
【請求項２】
前記カバー本体（１）を半透明にしたものとしていることを特徴とする請求項１に記載の覗き見防止カバー。
【請求項３】
前記カバー本体（１）の透光率を、可視光線波長において４００ｎｍ近辺で３０〜４０％、８００ｎｍ近辺で４０〜５０％の比例傾向であり、そのときの直進光の透光率が１０％未満であるものとしていることを特徴とする請求項２に記載の覗き見防止カバー。
【請求項４】
前記上面板（２）の傾斜角度（α）を１５〜４０度、前記前面板（３）の傾斜角度βを６５〜８５度、前記両側面板（４）の下辺（４ａ）の傾斜角度γを１５〜４５度としていることを特徴とする請求項１〜３の何れかに記載の覗き見防止カバー。
【請求項５】
前記前面板（３）の下部に鏡面（３ａ）を形成したものとしていることを特徴とする請求項１〜４の何れかに記載の覗き見防止カバー。
【発明の詳細な説明】
【技術分野】
【０００１】
この発明は、ロッカー、キャビネット等の収納・保管庫の扉に取り付けられる錠前の暗証番号を覗かれないようにした覗き見防止カバーに関するものである。
【背景技術】
【０００２】
従来、ロッカー、キャビネット等の収納・保管庫では、ボタン式やダイヤル式とした錠前の暗証番号を入力することにより、その錠前を解錠してから、扉を開放できるようにしたものが存在する。
【０００３】
このような収納・保管庫は、オフィスや学校の更衣室等に多数、横並びにして設置されているため、錠前の暗証番号を入力するときに、背後などから暗証番号を他人に覗かれる虞れがある。
【０００４】
しかしながら、従来の収納・保管庫に取り付けられた錠前には、他人の視線を遮るものが何も設けられていないので、背後などから暗証番号を他人に容易に覗かれてしまう。
【０００５】
ところで、銀行やクレジット会社のＡＴＭ等において暗証番号を入力する場合には、背後などから暗証番号を他人に覗かれないように、各種の暗証番号覗き見防止カバーがそのＡＴＭ等に設置されている。例えば、頂点部を切り落とし、内面を空隙部としたピラミッド形状としてカバー本体を形成したものが存在する。この覗き見防止カバーは、銀行やクレジット会社等のＡＴＭ画面、または暗証番号小型入力機を覆うものとしている。そして、側面に設けた差込口から手を差し込んで、上部から覗き込みながらの暗証番号を入力することで、周囲の視線を遮るようにしている（特許文献１）。
【０００６】
さらに、このような覗き見防止カバーとして、情報を入力するための入力部の上方を覆う上部部材、及び前記入力部の両側方を覆う側部部材を有するものが存在する。この覗き見防止カバーの前記上部部材は、並列する複数の傾斜面を有しており、各傾斜面は前記入力部の操作者側から離れるにつれて低くなるように傾斜している。そして、前記複数の傾斜面のうち少なくとも１組の隣接する傾斜面の間に位置する開口部を有しており、前記側部部材は、前記上部部材よりも前記入力部の使用者側に突き出している突出部材を有している（特許文献２）。
【先行技術文献】
【特許文献】
【０００７】
【特許文献１】特開２００６−２７７７０２号公報
【特許文献２】特許第５７４７６５２号公報
【発明の概要】
【発明が解決しようとする課題】
【０００８】
しかしながら、従来のＡＴＭ等に設置された暗証番号覗き見防止カバーは、ＡＴＭ等の機台の水平面に設置されるものであり、背後といっても背後の上方からの覗き見を防止するためのものであり、真後や真横からの覗き見を防止するためのものではない。そのため、このＡＴＭ等に用いられる覗き見防止カバーをそのままロッカー、キャビネット等の収納・保管庫用の錠前に適用しても、充分な覗き見防止効果が得られないという課題を有していた。
【０００９】
さらに、従来のＡＴＭ等に設置された暗証番号覗き見防止カバーは、ＡＴＭ等の機台が防犯カメラでの撮影・記録のため適切な照度が確保された場所に設置されているため、使用者が覗き見防止カバーで覆われた入力部から暗証番号を入力する場合にも、入力部が見難くなるようなこともなかった。しかしながら、ロッカー、キャビネット等の収納・保管庫は、オフィスや学校等の照度が充分に確保されていない場所に設置されている場合も多々あるので、その場合には使用者が覗き見防止カバーで覆われた錠前の暗証番号を入力する場合には、入力部が見難いという課題を有していた。
【００１０】
また、従来のＡＴＭ等の機台の正面などには、大きな反射鏡が設置されていることもあるため、このＡＴＭ等に設置された暗証番号覗き見防止カバーは、このような場合には使用者の背後から他人が覗き見を目的に容易に近づくことができず、暗証番号を他人に覗かれてしまうことは少なかった。しかしながら、ロッカー、キャビネット等の収納・保管庫では、開閉扉の内には反射鏡が取り付けられていることがあるが、開閉扉の外には反射鏡が取り付けられていないので、使用者の背後から他人が覗き見を目的に容易に近づくことができ、暗証番号を他人に覗かれてしまうことがないとは言えないという課題を有していた。
【００１１】
そこで、この発明は、上記従来の課題を解決するものであり、ロッカー、キャビネット等の収納・保管庫の垂直方向に設置された開閉扉に取り付けられる覗き見防止カバーであって、その開閉扉に取り付けられた錠前の暗証番号を他人に真後や真横から覗き見され難くすると共に、収納・保管庫の設置場所の照度が充分に確保されていない場合にも、使用者が暗証番号を入力し易くし、しかも使用者が暗証番号を入力しているときに、背後に他人が覗き見を目的に容易に近づき難くした覗き見防止カバーを提供することを目的としてなされたものである。
【課題を解決するための手段】
【００１２】
そのため、この発明の覗き見防止カバーは、収納・保管庫Ｒの垂直方向に設置された開閉扉１１に取り付けられるものであって、カバー本体１が、上面板２と、前面板３及び両側面板４とから構成され、底面を開放空間Ｓａとし、後面を開放空間Ｓｂとしており、前記上面板２は、前下りの傾斜角度αを有したものとし、中央部に四角形状とした番号入力確認孔２ａが形成されており、前記前面板３は、前下りの傾斜角度βを有したものとし、前記両側面板４は、それぞれの下辺４ａが前上りの傾斜角度γを有したものとし、前記底面の開放空間Ｓａは、使用者が錠前Ｌの暗証番号を入力しようとするときの指差し孔としており、前記カバー本体１は、前記後面の開放空間Ｓｂが、前記開閉扉１１に取り付けられた錠前Ｌの番号キーＫを取り囲むようにして、この開閉扉１１に取り付けられたものとしている。
【００１３】
そして、この発明の覗き見防止カバーにおいて、前記カバー本体１を半透明にしたものとしている。
【００１４】
さらに、この発明の覗き見防止カバーにおいて、前記カバー本体１の透光率を、可視光線波長において４００ｎｍ近辺で３０〜４０％、８００ｎｍ近辺で４０〜５０％の比例傾向であり、そのときの直進光の透光率が１０％未満であるものとしている。
【００１５】
また、この発明の覗き見防止カバーにおいて、前記上面板２の傾斜角度αを１５〜４０度、前記前面板３の傾斜角度βを６５〜８５度、前記両側面板４の下辺４ａの傾斜角度γを１５〜４５度としている。
【００１６】
さらに、この発明の覗き見防止カバーにおいて、前記前面板３の下部に鏡面３ａを形成したものとしている。
【発明の効果】
【００１７】
この発明の覗き見防止カバーは、以上に述べたように構成されており、ロッカー、キャビネット等の収納・保管庫の垂直方向に設置された開閉扉に取り付けられた場合には、その開閉扉に取り付けられた錠前の暗証番号を他人に真後や真横から覗き見され難いものとなった。
【００１８】
さらに、この発明の覗き見防止カバーは、収納・保管庫の設置場所の照度が充分に確保されていない場合にも、使用者が暗証番号を入力し易くなった。
【００１９】
しかも、この発明の覗き見防止カバーは、使用者が暗証番号を入力しているときに、背後に他人が覗き見を目的に容易に近づき難いものとなった。
【図面の簡単な説明】
【００２０】
【図１】この発明の覗き見防止カバーの一実施形態を前面側から見た状態の斜視図である。
【図２】この発明の覗き見防止カバーの一実施形態を後面側から見た状態の斜視図である。
【図３】この発明の覗き見防止カバーの一実施形態の正面図である。
【図４】図３中のＡーＡ線による断面図である。
【図５】この発明の覗き見防止カバーの他の実施形態を前面側から見た状態の斜視図である。
【図６】この発明の覗き見防止カバーの他の実施形態を後面側から見た状態の斜視図である。
【図７】この発明の覗き見防止カバーの他の実施形態の正面図である。
【図８】図７中のＢーＢ線による断面図である。
【図９】この発明の覗き見防止カバーが、ロッカーの垂直方向に設置された開閉扉に取り付けられた状態の正面図である。
【図１０】図９に示すこの発明の覗き見防止カバーが取り付けられた部分の拡大図である。
【図１１】図１０中のＣーＣ線による断面図である。
【図１２】この発明の覗き見防止カバーの使用状態を真横から見たときの説明図である。
【図１３】この発明の覗き見防止カバーの使用状態を真上から見たときの説明図である。
【発明を実施するための形態】
【００２１】
以下、この発明の覗き見防止カバーを図面に基づいて詳細に説明する。
【００２２】
この発明の覗き見防止カバーは、収納・保管庫Ｒの垂直方向に設置された開閉扉１１に取り付けられた状態（図９、１０参照）において、図１〜４又は図５〜８に示したように、カバー本体１が、上面板２と、前面板３及び両側面板４とから構成され、底面を開放空間Ｓａとし、後面を開放空間Ｓｂとしている。
【００２３】
前記カバー本体１は、ＡＢＳ樹脂、ポリカーボネート樹脂、アクリル樹脂などの合成樹脂の一体成形品としており、不透明にしたり、半透明にすることができる。前記カバー本体１を半透明にした場合は、照度が充分に確保されていない場所に設置されるときにも、錠前Ｌの番号キーＫが見易いものとなり、暗証番号を容易に入力することができる。すなわち、前記カバー本体１を半透明にしたときの透光率は、可視光線波長（４００〜８００ｎｍ）において４００ｎｍ近辺で３０〜４０％、８００ｎｍ近辺で４０〜５０％の比例傾向であることが望ましく、そのときの直進光の透光率は１０％未満が望ましい。この透光率は、７２０ｌｕｘ程度の照度の場所で、４４０ｌｕｘ程度の照度が確保されるようになり、カバー本体１の中に入れた使用者の指の動きが外部から見えない程度の透光率である。また、前記カバー本体１の透光率をこのように設定すると、例えば２１０ｌｕｘ程度の照度が充分に確保されていない場所に設置されるときにも、１１０ｌｕｘ程度の照度が確保されるようになり、カバー本体１内を視認でき、錠前Ｌの暗証番号を入力することができる。なお、１１０ｌｕｘは、ＪＩＳＺ９１１０：２０１１が推奨する廊下、エレベータの照度（１００ｌｕｘ）とほぼ同じであり、カバー本体１内を視認できる程度の明るさである。
【００２４】
前記上面板２は、略平面形状としており、前下りの傾斜角度αを有したものとしており、その傾斜角度αは１５〜４０度、望ましくは２５〜３０度としており、中央部に四角形状とした番号入力確認孔２ａが形成されている。この番号入力確認孔２ａは、使用者が覗き込んで錠前Ｌの暗証番号を入力しようとするとき、使用者はその番号キーＫが視認できるが、使用者の真後や真横から他人が覗き込んでも錠前Ｌの番号キーＫが視認できない程度の大きさに形成しており、使用者が覗き込んだときに錠前Ｌの番号キーＫの全部が視認できる程度の大きさであればよい。さらに、前記上面板２の上端には、開閉扉１１に形成された係止孔に係止するための係止爪２ｂが突設されている。そして、前記上面板２は、１５〜４０度の前下りの傾斜角度αを有したものとしているため、この上面板２に形成された番号入力確認孔２ａからは、使用者が覗き易い角度となるが、使用者の真後や真横からは他人が覗き難い角度となっている。なお、前記上面板２の傾斜角度αを２５〜３０度が望ましいとしたのは、一般的な収納・保管庫Ｒ（ロッカー）の開閉扉１１の錠前Ｌはロッカーの高さが９５〜１１０ｃｍ程度の位置に取り付けられており、日本人の成人男子の平均身長が１７０ｃｍ程度、成人女子の平均身長が１６０ｃｍ程度であることを考慮したものである。したがって、中学校用、高等学校用などの特定の用途の場合には、開閉扉１１の錠前Ｌの取付け位置、中高生などの平均身長を考慮して、前記した１５〜４０度の傾斜角度αに設定すればよい。
【００２５】
前記前面板３は、略平面形状としており、前下りの傾斜角度βを有したものとしており、その傾斜角度βは６５〜８５度、望ましくは７７〜８２度としており、使用者が錠前Ｌの暗証番号を入力しようとするとき、この前面板３に遮られて、他人が錠前Ｌの番号キーＫが視認できないようにしている。なお、使用者においても、前面板３に遮られて錠前Ｌの番号キーＫが視認できなくなっている。前記前面板３は、６５〜８５度の前下りの傾斜角度βを有したものとしているため、この前面板３によって錠前Ｌの番号キーＫが視認できない角度も大きくなり、使用者にとっても他人にとっても、その番号キーＫが視認し難くなっている。さらに、前記前面板３の下部には、図５〜８に示したように、鏡面３ａを形成したものとしている。この鏡面３ａは、前記前面板３の下部の一部に、単に金属めっきを施すなどして平面鏡としたものとすることができるが、前記前面板３の下部の一部を隆起させ、この隆起部に金属めっきを施すなどして凸面鏡としたものとすれば、使用者が鏡面３ａを見ると後方や横方が縮小されて現れ、使用者の真後や真横から他人が覗き込んでいる場合に確認し易いものとなる。前記前面板３に金属めっきを施すには、真空蒸着めっき、装飾クロムめっきなどが代表的なものとして挙げられる。真空蒸着めっきを施すには、ＡＢＳ樹脂、ポリカーボネート樹脂、アクリル樹脂などでカバー本体１を成形し、めっきを施す部分以外をマスキングして、その部分にめっきを施す。この場合、蒸着膜は耐磨耗性がないので、トップコート剤を塗布して保護膜を施したものとする。また、ポリカーボネート樹脂やアクリル樹脂には装飾クロムめっきを施せないため、ＡＢＳ樹脂、またはＡＢＳ樹脂とポリカーボネート樹脂の複合樹脂でカバー本体１を成形し、真空蒸着めっきと同様にめっきを施す部分以外をマスキングして、その部分にめっきを施す。さらに、ポリカーボネート樹脂やアクリル樹脂でカバー本体１を成形した場合には、めっきしたい部分だけをＡＢＳ樹脂で二色成形し、その部分にめっきを施したものとしてもよい。前記前面板３の傾斜角度βを７７〜８２度が望ましいとしたのは、前記上面板２の傾斜角度αと同じ理由による。また、前記前面板３と上面板２との境界部Ｂ1は、アールにしている。これは、使用者がカバー本体１に顔を近付けたときなどに、誤ってカバー本体１に接触してもケガなどしないようにすると共に、カバー本体１に外力が加わったときに、応力集中によって破壊することを防止するためである。
【００２６】
前記両側面板４は、それぞれ略平面形状としており、下辺４ａが前上りの傾斜角度γを有したものとしており、その傾斜角度γは１５〜４５度、望ましくは３０〜４０度としており、使用者が錠前Ｌの暗証番号を入力しようとするとき、両側面板４に遮られて、使用者も他人も錠前Ｌの番号キーＫが視認できないようにしている。さらに、前記両側面板４の後端には、開閉扉１１にネジ止めするためのネジ穴４ｂが形成されている。前記両側面板４の下辺４ａの傾斜角度γを３０〜４０度が望ましいとしたのは、前記上面板２の傾斜角度αや両側面板４の傾斜角度βと同じ理由による。また、前記両側面板４と上面板２との境界部Ｂ2、および前記両側面板４と前面板３との境界部Ｂ3も、前記前面板３と上面板２との境界部Ｂ1と同じ理由でアールにしている。
【００２７】
前記底面の開放空間Ｓａは、使用者が錠前Ｌの暗証番号を入力しようとするときの指差し孔としている。なお、前記両側面板４の下辺４ａが１５〜４５度の前上りの傾斜角度γを有したものとしているため、前記底面の開放空間Ｓａが広くなり、使用者が錠前Ｌの番号キーＫを操作し易くなっている。
【００２８】
そして、前記カバー本体１は、前記後面の開放空間Ｓｂが、収納・保管庫Ｒの垂直方向に設置された開閉扉１１に取り付けられた錠前Ｌの番号キーＫを取り囲むようにして、この開閉扉１１に取り付けられたものとしている。このカバー本体１を開閉扉１１に取り付けるには、前記上面板２の上端に突設された係止爪２ｂを、開閉扉１１に形成された係止孔Ｈ1に開閉扉１１の外側から係止させ、この開閉扉１１に形成した通し孔Ｈ2に開閉扉１１の内側からネジＳを通して、このネジＳを前記両側面板４の後端に形成されたネジ穴４ｂに捩じ込めばよい。なお、前記カバー本体１を開閉扉１１に取り付けるには、嵌め込み方式、接着剤、両面テープ、マグネットなどを用いて行なうこともでき、限定されるものではない。
【００２９】
前記錠前Ｌは、図示したものでは番号キーＫをボタン式にしているが、ダイヤル式などにしてもよい。ボタン式の番号キーＫの配置は、数字キーとキャンセルキーなどを合わせて、図示したように四行三列に並べたものとしており、前記カバー本体１の後面の開放空間Ｓｂで、この錠前Ｌの番号キーＫを取り囲むようにしているが、ダイヤル式にした場合は、番号キーＫの配置は、数字キーを一行に並べたものとしているので、この番号キーＫを前記カバー本体１の後面の開放空間Ｓｂで取り囲むようにすればよい。さらに、前記錠前Ｌの番号キーＫの下方には、扉開閉用の摘み１２や、暗証番号を忘れたときなどに、その暗証番号を解除する非常キーを挿入するためのかぎ穴１３が設けられているが、これら摘み１２やかぎ穴１３は、操作性などを考慮して、前記カバー本体１の後面の開放空間Ｓｂで取り囲まれないようにしている。
【００３０】
以上のように構成されたこの発明の覗き見防止カバーは、図９、１０に示したようにロッカーの垂直方向に設置された開閉扉１１に取り付けられた状態において、その開閉扉１１の前に使用者が立って錠前Ｌの番号キーＫを操作する場合に、図１１に示したように、使用者はカバー本体１の底面の開放空間Ｓａから指を差し入れ、番号入力確認孔２ａから覗き込んで番号キーＫを操作して暗証番号を入力する。この場合、前記したように開放空間Ｓａは広くなっているので、指を差し入れ易くなり、使用者は錠前Ｌの番号キーＫをたやすく操作できることになる。
【００３１】
そして、使用者が錠前Ｌの番号キーＫを操作している間は、図１２、１３に示したように、使用者が上面板２の番号入力確認孔２ａから覗けば、使用者の視線は錠前Ｌの番号キーＫに届くが、使用者の真後や真横にいる他人の視線はカバー本体１の上面板２や前面板３、両側面板４に遮られて、錠前Ｌの番号キーＫには届かない。また、他人が真後や真横から上面板２の番号入力確認孔２ａを覗き込んでも、他人の視線は錠前Ｌの番号キーＫの一部にしか届かず、使用者が錠前Ｌの番号キーＫを操作する指の動きが確認し難くなっている。
【００３２】
さらに、この発明の覗き見防止カバーは、カバー本体１を不透明にした場合には言うまでもなく、半透明にした場合も、カバー本体１の外部からはカバー本体１の中に入れた使用者の指の動きが見えないので、錠前Ｌの暗証番号を他人に覗き見されることはない。
【００３３】
また、この発明の覗き見防止カバーは、カバー本体１を半透明にした場合には、先にも述べたように、照度が充分に確保されていない場所に設置されるときにも、使用者はカバー本体１内を視認でき、錠前Ｌの暗証番号を入力することができる。
【００３４】
しかも、この発明の覗き見防止カバーは、前面板３の下部に鏡面３ａを形成したものでは、この鏡面３ａによって使用者の背後から近づく他人が確認できるので、使用者が暗証番号を入力しているときに、他人が覗き見を目的に容易に近づき難いものとなる。
【符号の説明】
【００３５】
１  カバー本体
２  上面板
２ａ  番号入力確認孔
３  前面板
３ａ  鏡面
４  側面板
４ａ  下辺
１１  開閉扉
Ｋ  番号キー
Ｌ  錠前
Ｒ  収納・保管庫
Ｓａ  開放空間
Ｓｂ  開放空間
α  傾斜角度
β  傾斜角度
γ  傾斜角度
【図１】
2020056212.tif 000003
【図２】
2020056212.tif 000004
【図３】
2020056212.tif 000005
【図４】
2020056212.tif 000006
【図５】
2020056212.tif 000007
【図６】
2020056212.tif 000008
【図７】
2020056212.tif 000009
【図８】
2020056212.tif 000010
【図９】
2020056212.tif 000011
【図１０】
2020056212.tif 000012
【図１１】
2020056212.tif 000013
【図１２】
2020056212.tif 000014
【図１３】
2020056212.tif 000015